(57)【要約】      （修正有）【課題】冊子の包装箱として用いられると共に、冊子の転倒を防止するブックケースとしても使用できるブックケース兼包装箱用シート及びブックケース兼包装箱を提供する。【解決手段】ブックケース兼包装箱用シートは、対向する天板２及び底板６並びに対向する一対の側板３を構成する四角筒状部を有する箱型に組立可能で、天板の内面に折り返し可能にこの天板の前縁に連接される上フラップ２３と、底板の内面に折り返し可能にこの底板の前縁に連接される下フラップ２４と、一方の側板の内面に折り返し可能にこの側板の前縁に連接されるブックエンド板２２とを備え、ブックエンド板が、一方の側板との境界線と平行に形成される第一折り曲げ容易線３４、及び第一折り曲げ容易線よりも先端側の上縁及び下縁に形成される一対の係合部３７，３８を有し、上フラップ及び下フラップが、ブックエンド板の一対の係合部と係合可能な第一係止部４１，４３を有する。【選択図】図２
0003194311.tif 000002
【実用新案登録請求の範囲】
【請求項１】
対向する天板及び底板並びに対向する一対の側板を構成する四角筒状部を有する箱型に組立可能なブックケース兼包装箱用シートであって、
上記天板の内面に折り返し可能にこの天板の前縁に連接される上フラップと、
上記底板の内面に折り返し可能にこの底板の前縁に連接される下フラップと、
一方の上記側板の内面に折り返し可能にこの側板の前縁に連接されるブックエンド板と
を備え、
上記ブックエンド板が、
上記一方の側板との境界線と平行に形成される第一折り曲げ容易線、及び
上記第一折り曲げ容易線よりも先端側の上縁及び下縁に形成される一対の係合部を有し、
上記上フラップ及び上記下フラップが、上記ブックエンド板の上記一対の係合部と係合可能な第一係止部を有するブックケース兼包装箱用シート。
【請求項２】
上記一対の係合部が、上記ブックエンド板の先端の上縁及び下縁から突出される一対の凸部であり、
上記上フラップ及び上記天板の境界線から上記上フラップに設けられる第一係止部までの垂直距離と、上記下フラップ及び上記底板の境界線から上記下フラップに設けられる第一係止部までの垂直距離とが、上記ブックエンド板及び上記一方の側板の境界線から上記第一折り曲げ容易線までの距離に略等しい請求項１に記載のブックケース兼包装箱用シート。
【請求項３】
上記ブックエンド板が、上記一方の側板との境界線と平行に形成される第二折り曲げ容易線を有し、
上記上フラップ及び上記下フラップが上記ブックエンド板の上記一対の凸部と係合可能な第二係止部を有し、
上記上フラップ及び上記天板の境界線から上記上フラップに設けられる第二係止部までの垂直距離と、上記下フラップ及び上記底板の境界線から上記下フラップに設けられる第二係止部までの垂直距離とが、上記ブックエンド板及び上記一方の側板の境界線から上記第二折り曲げ容易線までの距離に略等しい請求項２に記載のブックケース兼包装箱用シート。
【請求項４】
他方の上記側板の前縁に連接される蓋フラップをさらに備え、
上記蓋フラップが、先端から延出する舌片を有し、
上記一方の側板と上記ブックエンド板との境界線に、上記舌片を挿入可能な挿入孔が形成されている請求項１、請求項２又は請求項３に記載のブックケース兼包装箱用シート。
【請求項５】
請求項１から請求項４のいずれか１項に記載のブックケース兼包装箱用シートを組立ててなるブックケース兼包装箱。
【考案の詳細な説明】
【技術分野】
【０００１】
本考案は、ブックケース兼包装箱用シート及びブックケース兼包装箱に関する。
【背景技術】
【０００２】
従来、カタログやパンフレット等の冊子を梱包するための包装箱が知られている。また、このような包装箱としては、段ボールシートを組立ててなるものが公知である。このような包装箱は、例えばカタログやパンフレット等の冊子の輸送用に用いられ、冊子が取り出された後は廃棄される。
【０００３】
一方、このような包装箱から取り出された冊子は、通常、平積みにして保管されるか、別途用意されたブックケースに収容し直して保管される。
【０００４】
しかしながら、このような冊子は、平積みにして保管すると、見栄えが悪く、また間違って廃棄したり紛失したりする恐れがある。また、このような冊子は、Ａ４以上の大きさであることが多く、比較的厚みも大きいことが多いため、ブックケースによっては収容できない場合がある。さらに、このような冊子保管用に新たにブックケースを購入するのが躊躇われるようなケースも考えられる。
【０００５】
このような点から、今日では、カタログやパンフレット等の冊子を梱包する包装箱として用いられると共に、これらの冊子を収容するブックケースとしても使用可能なブックケース兼包装箱が求められている。そして、このようなブックケース兼包装箱としては、例えば簡易本箱型パッケージ（実用新案登録第３０９４８７２号公報参照）が発案されている。
【０００６】
上記公報所載の簡易本箱型パッケージは、本体と、この本体に着脱可能に連結されるカバーとを有し、本体から取り外したカバーを本体の外面に重ねあわせて配設可能に構成されている。上記公報所載の簡易本箱型パッケージは、このようにカバーを本体の外面に重ねあわせて配設することで、カバーを本体の補強材として用いることができる。そのため、この簡易本箱型パッケージは、本体及びカバーが重ね合せられることで、強度が向上されたブックケースとして使用可能とされている。
【０００７】
しかしながら、この簡易本箱型パッケージは、本体及びカバーを重ね合せることで一定程度強度を向上することはできるものの、パッケージ内に収容された本の転倒を防止するための構造を有していないため、パッケージ内で本が倒れるおそれが高く、また本が倒れた場合にこの本の重みでパッケージごと転倒するおそれもある。
【先行技術文献】
【特許文献】
【０００８】
【特許文献１】実用新案登録第３０９４８７２号公報
【考案の概要】
【考案が解決しようとする課題】
【０００９】
本考案は、このような不都合に鑑みてなされたものであり、カタログやパンフレット等の冊子を梱包する包装箱として用いられると共に、収容される冊子の転倒を防止可能なブックケースとしても使用することができるブックケース兼包装箱用シート及びブックケース兼包装箱の提供を目的とするものである。
【課題を解決するための手段】
【００１０】
上記課題を解決するためになされた本考案に係るブックケース兼包装箱用シートは、対向する天板及び底板並びに対向する一対の側板を構成する四角筒状部を有する箱型に組立可能なブックケース兼包装箱用シートであって、上記天板の内面に折り返し可能にこの天板の前縁に連接される上フラップと、上記底板の内面に折り返し可能にこの底板の前縁に連接される下フラップと、一方の上記側板の内面に折り返し可能にこの側板の前縁に連接されるブックエンド板とを備え、上記ブックエンド板が、上記一方の側板との境界線と平行に形成される第一折り曲げ容易線、及び上記第一折り曲げ容易線よりも先端側の上縁及び下縁に形成される一対の係合部を有し、上記上フラップ及び上記下フラップが、上記ブックエンド板の上記一対の係合部と係合可能な第一係止部を有する。
【００１１】
当該ブックケース兼包装箱用シートは、箱型に組立てられることで、カタログやパンフレット等の冊子を梱包する包装箱として用いることができる。また、当該ブックケース兼包装箱用シートは、上フラップを天板の内面に折り返し、かつ下フラップを底板の内面に折り返すと共に、ブックエンド板を一方の側板の内面に折り返したうえ、第一折り曲げ容易線で内側に折り曲げて、上記一対の係合部及び上記第一係止部を係合することによってブックケースとしても使用することができる。つまり、当該ブックケース兼包装箱用シートは、上記ブックエンド板が第一折り曲げ容易線で内側に折り曲げられると共に、このブックエンド板に設けられる一対の係合部が上記第一係止部と係合されることによって、ブックエンド板の上記第一折り曲げ容易線よりも先端側の部位が一方の側板の内面から他方の側板側に突出されるブックエンド部として形成される。そのため、当該ブックケース兼包装箱用シートを組立てて形成されるブックケースは、上記ブックエンド板の先端によってこのブックケースに収容される冊子の表表紙又は裏表紙を支持することで、冊子の転倒を容易かつ確実に防止することができる。
【００１２】
上記一対の係合部が、上記ブックエンド板の先端の上縁及び下縁から突出される一対の凸部であり、上記上フラップ及び上記天板の境界線から上記上フラップに設けられる第一係止部までの垂直距離と、上記下フラップ及び上記底板の境界線から上記下フラップに設けられる第一係止部までの垂直距離とが、上記ブックエンド板及び上記一方の側板の境界線から上記第一折り曲げ容易線までの距離に略等しいとよい。これにより、当該ブックケース兼包装箱用シートを組立ててなるブックケースにおいて、上記ブックエンド板の上記第一折り曲げ容易線よりも先端側の部位を他方の側板の平面方向に対する垂直方向に突出させて的確に固定することができ、収容される冊子の転倒をさらに的確に防止することができる。
【００１３】
上記ブックエンド板が、上記一方の側板との境界線と平行に形成される第二折り曲げ容易線を有し、上記上フラップ及び上記下フラップが上記ブックエンド板の上記一対の凸部と係合可能な第二係止部を有し、上記上フラップ及び上記天板の境界線から上記上フラップに設けられる第二係止部までの垂直距離と、上記下フラップ及び上記底板の境界線から上記下フラップに設けられる第二係止部までの垂直距離とが、上記ブックエンド板及び上記一方の側板の境界線から上記第二折り曲げ容易線までの距離に略等しいとよい。これにより、収容される冊子の数や厚み等に応じた折り曲げ容易線及び係合孔を選択することができ、収容される冊子をさらに的確に支持することができる。
【００１４】
他方の上記側板の前縁に連接される蓋フラップをさらに備え、上記蓋フラップが、先端から延出する舌片を有し、上記一方の側板と上記ブックエンド板との境界線に、上記舌片を挿入可能な挿入孔が形成されているとよい。これにより、この蓋フラップを当該ブックケース兼包装箱用シートを組立ててなる包装箱の前面板として用いることができると共に、当該ブックケース兼包装箱用シートを組立ててなるブックケースの前面扉としても用いることができる。また、この蓋フラップを当該ブックケース兼包装箱用シートを組立ててなる包装箱の前面板として用いることによって、上記ブックエンド板が外部に露出されるのが防止されるため、輸送時や保管時に上記ブックエンド板に汚れや傷が生じるのを的確に防止することができる。そのため、例えば上記ブックエンド板に所定のデザイン等を施しておくことで、当該ブックケース兼包装箱用シートを組立ててなるブックケースの内観を好適に向上することができる。
【００１５】
また、上記課題を解決するためになされた本考案に係るブックケース兼包装箱は、上記構成を有する当該ブックケース兼包装箱用シートを組立ててなる。
【００１６】
当該ブックケース兼包装箱は、カタログやパンフレット等の冊子を梱包する包装箱として用いることができると共に、上フラップを天板の内面に折り返し、かつ下フラップを底板の内面に折り返すと共に、ブックエンド板を一方の側板の内面に折り返したうえ、第一折り曲げ容易線で内側に折り曲げて、上記一対の係合部及び上記第一係止部を係合することによってブックケースとして使用することができる。当該ブックケース兼包装箱は、上記ブックエンド板が第一折り曲げ容易線で内側に折り曲げられると共に、このブックエンド板に設けられる一対の係合部が上記第一係止孔と係合することによって、ブックエンド板の上記第一折り曲げ容易線よりも先端側の部位が一方の側板の内面から他方の側板側に突出されるブックエンドとして形成されるので、上記ブックエンド板の先端によって収容される冊子の表表紙又は裏表紙を支持することで、これらの冊子の転倒を容易かつ確実に防止することができる。
【考案の効果】
【００１７】
以上説明したように、本考案のブックケース兼包装箱用シート及びブックケース兼包装箱は、カタログやパンフレット等の冊子を梱包する包装箱として用いることができると共に、収容される冊子の転倒を防止可能なブックケースとしても使用することができる。
【図面の簡単な説明】
【００１８】
【図１】本考案の第一実施形態に係るブックケース兼包装箱を示す模式図であって、（ａ）は包装箱として組立てられた状態を示す斜視図、（ｂ）はブックケースとして組立てられた状態を示す斜視図である。
【図２】図１のブックケース兼包装箱を構成するブックケース兼包装箱用シートを示す模式的展開図である。
【図３】図１の包装箱の組立工程を示す模式的断面図である。
【図４】図１のブックケースの組立工程を示す模式図であって、（ａ）は模式的断面図、（ｂ）は模式的正面図である。
【図５】本考案の第二実施形態に係るブックケース兼包装箱用シートを示す模式的展開図である。
【考案を実施するための形態】
【００１９】
以下、適宜図面を参照しつつ、本考案の実施の形態を詳説する。
【００２０】
［第一実施形態］
＜ブックケース兼包装箱＞
図１のブックケース兼包装箱（包装箱１及びブックケース１１）は、ブックケース兼包装箱用シートから組み立てられる。
【００２１】
（包装箱）
包装箱１は、天板２と、一対の側板３と、蓋部４と、背面板５と、底板６とを有し、直方体の箱型に形成されている。蓋部４は、一方の側縁が一方の側板３ａと着脱可能に連結されると共に、他方の側縁が他方の側板３ｂと連接されている。
【００２２】
（ブックケース）
ブックケース１１は、天板２と、一対の側板３と、背面板５と、底板６と、ブックエンド部１２とを有する。ブックエンド部１２は、平板状に形成されている。ブックエンド部１２は、背面板５と平行に配設されている。ブックエンド部１２は、一方の側板３ａの内面から内側（他方の側板３ｂ側）に突出されている。ブックケース１１は、他方の側板３ｂとブックエンド部１２との間にカタログやパンフレット等の冊子１００が収容可能に構成されている。ブックケース１は、背面板５と対向する側が冊子１００の取出口として構成されている。ブックケース１１は、冊子１００の表表紙又は裏表紙とブックエンド部１２の先端とが当接可能となるように冊子１００の小口側から収容可能に構成されている。
【００２３】
＜ブックケース兼包装箱用シート＞
図２のブックケース兼包装箱用シート２１は、一枚のシートからなり、冊子を梱包する包装箱１に組み立てられると共に、さらにこの冊子を収容するブックケース１１に組立可能に構成されている。
【００２４】
ブックケース兼包装箱用シート２１に用いられるシート材としては、ブックケース兼包装箱用シート２１から組立てられる包装箱１及びブックケース１１の形状を維持できる程度の強度を有し、かつ適度な反発力を有している限り特に限定されず、例えば段ボールシート、厚紙等の紙製シート材、合成樹脂製シート材、紙製シートと合成樹脂シートとの積層シート材等が挙げられる。なかでも、加工性、衝撃吸収性、取扱性、リサイクル性、経済性等の点から紙製のシート材が好ましく、段ボールシートが特に好ましい。
【００２５】
上記段ボールシートとしては、特に限定されないが、波形状に形成された中芯原紙をライナーに貼り合わせたものが好適に用いられ、例えば波形状に形成された中芯原紙を１枚のライナーに貼り合わせた片面段ボールシート、片面段ボールシートの段頂にさらにライナーを貼り合わせた両面段ボールシート、両面段ボールシートの片側に片面段ボールシートの段頂を貼り合わせた複両面段ボールシート、複両面段ボールシートの片側に片面段ボールシートの段頂を更に貼り合わせた複々両面段ボールシート等が挙げられる。これらの段ボールシートのなかでも、加工性、経済性、耐久性等の点から両面段ボールシートが好ましい。
【００２６】
ブックケース兼包装箱用シート２１は、対向する天板２及び底板６並びに対向する一対の側板３を構成する四角筒状部を有する箱型に組立可能に形成されている。ブックケース兼包装箱用シート２１は、一方の側板３ａの内面に折り返し可能にこの側板３ａの前縁に連接されるブックエンド板２２と、天板２の内面に折り返し可能にこの天板２の前縁に連接される上フラップ２３と、底板６の内面に折り返し可能にこの底板６の前縁に連接される下フラップ２４と、他方の側板３ｂの前縁に連接される蓋フラップ２５とを有する。また、ブックケース兼包装箱用シート２１は、天板２の後縁に連接される内フラップ２６と、底板６の後縁に連接される内フラップ２７と、一方の側板３ａの後縁に連接される外フラップ２８と、他方の側板３ｂの後縁に連接される外フラップ２９とを有する。なお、「前縁」とは、当該ブックケース兼包装箱用シート２１を組立ててなる包装箱１における蓋部側（ブックケース１１における冊子１００の取出口側）の端縁をいい、「後縁」とは、その逆側（背面側）の端縁をいう。また、「内面」とは、当該ブックケース兼包装箱用シート２１を組立ててなる包装箱１１及びブックケース１１において内面を形成する側の面をいう。
【００２７】
ブックケース兼包装箱用シート２１は、天板２と下フラップ２６との境界の中央に両端が天板２側に屈曲した概略縦長コ字状の切込み３０を有する。ブックケース兼包装箱用シート２１は、底板６と下フラップ２７との境界の中央に両端が底板６側に屈曲した概略縦長コ字状の切込み３１を有する。また、ブックケース兼包装箱用シート２１は、一対の側板３と一対の上フラップ２８、２９との各境界の両端付近に両端が一対の側板３側に屈曲した概略縦長コ字状の切込み３２を有する。
【００２８】
天板２及び底板６は、同形及び同サイズの矩形状に形成されている。また、一対の側板３ａ及び３ｂも、同形及び同サイズの矩形状に形成されている。天板２、底板６及び一対の側板３の前後方向長さは同一とされている。ブックケース兼包装箱用シート２１は、他方の側板３ｂの他方側の側縁から突出する糊代部３３を有する。天板２、底板６及び一対の側板３は、各々の境界線を折り曲げたうえ糊代部３３を天板２の一方側の側縁に沿って接着することで四角筒状部として形成される。上記四角筒状部の大きさとしては、収容される冊子のサイズ等に基づいて適宜選択されるものであり特に限定されないが、例えば高さが２７ｃｍ以上３７ｃｍ以下、幅が１５ｃｍ以上２５ｃｍ以下、奥行きが１７ｃｍ以上２７ｃｍ以下程度とされる。
【００２９】
ブックエンド板２２は、一方の側板３ａとの境界線と平行に形成される折り曲げ容易線３４（第一折り曲げ容易線）を有する。ブックエンド板２２は、折り曲げ容易線３４より基端側の部分が一方の側板３ａの内面に折り返される基端部３５として形成され、折り曲げ容易線３４より先端側の部分がブックエンド部１２を構成する先端部３６として形成される。
【００３０】
一方の側板３ａの前後方向距離Ｌ１に対するブックエンド板２２と一方の側板３ａとの境界線から折り曲げ容易線３４までの距離Ｌ２の比（Ｌ２／Ｌ１）の下限としては、１／４が好ましく、１／３がより好ましく、２／５がさらに好ましい。一方、一方の側板３ａの前後方向距離Ｌ１に対するブックエンド板２２と一方の側板３ａとの境界線から折り曲げ容易線３４までの距離Ｌ２の比（Ｌ２／Ｌ１）の上限としては、３／４が好ましく、２／３がより好ましく、３／５がさらに好ましい。また、一方の側板３ａの前後方向距離Ｌ１に対するブックエンド板２２と一方の側板３ａとの境界線から折り曲げ容易線３４までの距離Ｌ２の比（Ｌ２／Ｌ１）としては、１／２が特に好ましい。一方の側板３ａの前後方向距離Ｌ１に対するブックエンド板２２と一方の側板３ａとの境界線から折り曲げ容易線３４までの距離Ｌ２の比（Ｌ２／Ｌ１）が上記範囲外である場合、当該ブックケース兼包装箱用シート２１を組立ててなるブックケース１１におけるブックエンド部１２が前縁側又は後縁側により過ぎて冊子１００を的確に支持できないおそれがある。
【００３１】
ブックエンド板２２は、折り曲げ容易線３４よりも先端側の上縁及び下縁に形成される一対の係合部を有する。上記一対の係合部は、ブックエンド板２２の先端の上縁及び下縁から突出される一対の凸部３７、３８として形成されている。なお、「上縁」とは、当該ブックケース兼包装箱用シート２１を組立ててなる包装箱１及びブックケース１１における天板２側の端縁をいい、「下縁」とは、その逆側（底板６側）の端縁をいう。
【００３２】
一対の凸部３７、３８の幅Ｗ１の下限としては、２ｃｍが好ましく、２．５ｃｍがより好ましく、３ｃｍがさらに好ましい。一方、一対の凸部３７、３８の幅Ｗ１の上限としては、６ｃｍが好ましく、５．５ｃｍがより好ましく、５ｃｍがさらに好ましい。一対の凸部３７、３８の幅Ｗ１が上記下限未満の場合、一対の凸部３７、３８を後述する係止孔４１、４３に係合した場合に、一対の凸部３７、３８が係止孔４１、４３から抜け出るおそれが高くなる。逆に、一対の凸部３７、３８の幅Ｗ１が上記上限を超える場合、一対の凸部３７、３８を係止孔４１、４３に係合し難くなるおそれがある。
【００３３】
一対の凸部３７、３８の高さＨ１の下限としては、３ｍｍが好ましく、４ｍｍがより好ましく、５ｍｍがさらに好ましい。一方、一対の凸部３７、３８の高さＨ１の上限としては、９ｍｍが好ましく、８ｍｍがより好ましく、７ｍｍがさらに好ましい。一対の凸部３７、３８の高さＨ１が上記下限未満の場合、一対の凸部３７、３８を係止孔４１、４３に係合した場合に、一対の凸部３７、３８が係止孔４１、４３から抜け出るおそれが高くなる。逆に、一対の凸部３７、３８の高さＨ１が上記上限を超える場合、一対の凸部３７、３８を係止孔４１、４３に係合し難くなるおそれがある。
【００３４】
ブックエンド板２２は、一方の側板３ａとの境界線に挿入孔３９を有する。また、ブックエンド板２２は、先端の中央に凹部４０を有する。ブックエンド板２２の前後方向長さは一方の側板３ａの前後方向長さと略同一とされている。
【００３５】
上フラップ２３は、係止孔４１（第一係止部）を有する。係止孔４１は、ブックエンド板２２の凸部３７と係合可能に形成されている。係止孔４１は、長手方向が上フラップ２３と天板２との境界線と平行な矩形状に形成される。係止孔４１の幅Ｗ２は、凸部３７の厚み（凸部３７を形成するシート材の厚み）以上とされている。凸部３７の厚みに対する係止孔４１の幅Ｗ２の比の下限としては、１．２が好ましく、１．４がより好ましい。一方、凸部３７の厚みに対する係止孔４１の幅Ｗ２の比の上限としては、３が好ましく、２．５がより好ましく、１．８がさらに好ましい。凸部３７の厚みに対する係止孔４１の幅Ｗ２の比が上記下限未満の場合、凸部３７を係止孔４１に係合し難くなるおそれがある。逆に、凸部３７の厚みに対する係止孔４１の幅Ｗ２の比が上記上限を超える場合、凸部３７を係止孔４１に係合した場合に、凸部３７が係止孔４１から抜け出るおそれが高くなる。
【００３６】
凸部３７の幅Ｗ１に対する係止孔４１の長手方向長さＬ３の比（Ｌ３／Ｗ１）の下限としては、１が好ましく、１．１がより好ましい。一方、凸部３７の幅Ｗ１に対する係止孔４１の長手方向長さＬ３の比（Ｌ３／Ｗ１）の上限としては、２が好ましく、１．５がより好ましく、１．３がさらに好ましい。凸部３７の幅Ｗ１に対する係止孔４１の長手方向長さＬ３の比（Ｌ３／Ｗ１）が上記下限未満の場合、凸部３７を係止孔４１に係合し難くなるおそれがある。逆に、凸部３７の幅Ｗ１に対する係止孔４１の長手方向長さＬ３の比（Ｌ３／Ｗ１）が上記上限を超える場合、凸部３７を係止孔４１に係合した場合に、凸部３７が係止孔４１から抜け出るおそれが高くなる。
【００３７】
上フラップ２３は、先端の中央に凸片４２を有する。また、上フラップ２３の前後方向長さは天板２の前後方向長さと略同一とされている。上フラップ２３と天板２との境界線から係止孔４１までの垂直方向距離は、ブックエンド板２２と一方の側板３ａとの境界線から折り曲げ容易線３４までの距離Ｌ２と略同一とされている。さらに、係止孔４１のブックエンド板２２側の端部から上フラップ２３のブックエンド板２２側の端部までの距離は、折り曲げ容易線３４から凸部３７の基端側端縁までの距離と略同一とされている。
【００３８】
下フラップ２４は、係止孔４３（第一係止部）を有する。係止孔４３は、ブックエンド板２２の凸部３８と係合可能に形成されている。係止孔４３は、長手方向が下フラップ２４と底板６との境界線と平行な矩形状に形成される。係止孔４３の幅Ｗ３は、凸部３８の厚み（凸部３８を形成するシート材の厚み）以上とされている。凸部３８の厚みに対する係止孔４３の幅Ｗ３の比としては、凸部３７の厚みに対する係止孔４１の幅Ｗ２の比と同様とされる。また、凸部３８の幅Ｗ１に対する係止孔４３の長手方向長さＬ４の比（Ｌ４／Ｗ１）としては、凸部３７の幅Ｗ１に対する係止孔４１の長手方向長さＬ３の比（Ｌ３／Ｗ１）と同様とされている。
【００３９】
下フラップ２４は、先端の中央に凸片４４を有する。また、下フラップ２４の前後方向長さは底板６の前後方向長さと略同一とされている。下フラップ２４と底板６との境界線から係止孔４３までの垂直方向距離は、ブックエンド板２２と一方の側板３ａとの境界線から折り曲げ容易線３４までの垂直方向距離Ｌ２と略同一とされている。さらに、係止孔４３のブックエンド板２２側の端部から下フラップ２４のブックエンド板２２側の端部までの距離は、折り曲げ容易線３４から凸部３８の基端側端縁までの距離と略同一とされている。
【００４０】
蓋フラップ２５は、先端から延出する舌片４５を有する。舌片４５は、当該ブックケース兼包装箱用シート２１を包装箱１に組み立てた状態において挿入孔３９に挿入可能に形成されている。また、蓋フラップ２５と他方の側板３ｂとの境界線には、破断容易線４６が形成されている。
【００４１】
外フラップ２８は、先端中央から延出する突出部４７を有する。外フラップ２８は、基端側の上端及び下端から先端に亘って中央側に傾斜して形成される一対の弱化線４９を有する。また、外フラップ２９は、先端中央に凹部４８を有する。外フラップ２９は、基端側の上端及び下端から先端に亘って中央側に傾斜して形成される一対の弱化線５０を有する。
【００４２】
＜包装箱の組立方法＞
次に、当該ブックケース兼包装箱用シート２１を用いた包装箱１の組立方法について説明する。
【００４３】
まず、天板２、一対の側板３及び底板６を各々の境界線で折り曲げ、糊代部３３を天板２の内面の他方側端縁に沿って接着することで四角筒状部を形成する。
【００４４】
次に、一対の内フラップ２６、２７を内側に折り曲げたうえ、外フラップ２９を内側に折り曲げ、さらに外フラップ２９の外面に重ね合せるように外フラップ２８を内側に折り曲げる。そして、外フラップ２９の外面に外フラップ２８を重ね合せた状態において、外フラップ２８をさらに内側に押し込む。ここで、外フラップ２８は一対の弱化線４９を有し、外フラップ２９は一対の弱化線５０を有するので、外フラップ２８の押し込みに対応してこれらの二対の弱化線４９、５０が適度に折れ曲がるため、外フラップ２８を内側に十分に押し込むことができる。この押し込み動作によって、突出部４７が凹部４８の内側に入り込み、外フラップ２８及び外フラップ２９が係合されて背面板５が形成される。ここで、当該ブックケース兼包装箱用シート２１は、天板２と下フラップ２６との境界の中央に両端が天板２側に屈曲した概略縦長コ字状の切込み３０を有し、底板６と下フラップ２７との境界の中央に両端が底板６側に屈曲した概略縦長コ字状の切込み３１を有するので、天板２及び底板６の後縁中央には、背面側に突出する一対の突条部５１が形成されると共に、一対の突条部５１と背面板５との間には、一対の嵌合孔５２が形成される（図３（ａ）参照）。
【００４５】
続いて、図３（ａ）に示すように、ブックエンド板２２を一方の側面板３ａの内面に折り返す。さらに、図３（ｂ）に示すように、上フラップ２３を天板２の内面に折り返し、下フラップ２４を底板６の内面に折り返す。このように、上フラップ２３を天板２の内面に折り返し、下フラップ２４を底板６の内面に折り返すことによって、ブックエンド板２２の凸部３７は上フラップ２３の側縁によって係止され、ブックエンド板２２の凸部３８は下フラップ２４の側縁によって係止される。また、上フラップ２３の凸片４２及び下フラップ２４の凸片４４は、一対の嵌合孔５２に嵌合される。これにより、ブックエンド板２２が一方の側板３ａの内面に重畳された状態で的確に固定されると共に、上フラップ２３が天板２の内面に重畳された状態で的確に固定され、下フラップ２４が底板６の内面に重畳された状態で的確に固定される。
【００４６】
さらに、図３（ｃ）に示すように、蓋フラップ２５を内側に折り曲げ、舌片４５を挿入孔３９に挿入する。これにより、蓋フラップ２５が蓋部４として構成され、包装箱１が組み立てられる。
【００４７】
＜ブックケースの組立方法＞
続いて、図４を参照して、ブックケース１１の組立方法について説明する。なお、ブックケース１１の組立方法については、包装箱１からブックケース１１を組み立てる場合を説明する。
【００４８】
まず、図４（ａ）に示すように、ブックエンド板２２の折り曲げ容易線３４を内側に略９０°折り曲げて凸部３７を係止孔４１に係合すると共に、凸部３８を係止孔４３に係合する。当該ブックケース兼包装箱用シート２１は、上述のように、上フラップ２３及び天板２の境界線から係止孔４１までの垂直距離と、下フラップ２４及び底板６の境界線から係止孔４３までの垂直距離と、ブックエンド板２２及び一方の側板３ａの境界線から折り曲げ容易線３４までの距離が略等しく形成されているので、ブックエンド板２２の折り曲げ容易線３４を内側に略９０°折り曲げた場合に一対の凸部３７、３８の前後方向位置と一対の係止孔４１、４３の前後方向位置が一致する。当該ブックケース兼包装箱用シート２１は、このように折り曲げ容易線３４を内側に略９０°折り曲げた状態で一対の凸部３７、３８及び一対の係止孔４１、４３を係合することができるので、ブックケース１１に収容される冊子を横方向から的確に支持することができる。
【００４９】
また、当該ブックケース兼包装箱用シート２１は、上述のように、係止孔４１のブックエンド板２２側の端部から上フラップ２３のブックエンド板２２側の端部までの距離が折り曲げ容易線３４から凸部３７の基端側端縁までの距離と略同一とされ、係止孔４３のブックエンド板２２側の端部から下フラップ２４のブックエンド板２２側の端部までの距離が折り曲げ容易線３４から凸部３８の基端側端縁までの距離と略同一とされているので、折り曲げ容易線３４を内側に略９０°折り曲げた場合に一対の凸部３７、３８と一対の係止孔４１、４３とを容易かつ確実に係合することができる。
【００５０】
当該ブックケース兼包装箱用シート２１は、このように一対の凸部３７、３８及び一対の係止孔４１、４３を係合することによって先端部３６がブックエンド部１２として構成され、図４（ｂ）に示すブックケース１１に組み立てられる。なお、ブックケース１１は、図４（ｂ）に示すように蓋フラップ２５を前面扉として用いてもよく、また破断容易線４６によって蓋フラップ２５を切り離して用いてもよい。当該ブックケース兼包装箱用シート２１は、ブックエンド板２２が先端の中央に凹部４０を有するので、ブックケース１１に冊子を収容した場合でも、凹部４０から指等を挿入してこの冊子を容易に取り出すことができる。
【００５１】
＜利点＞
当該ブックケース兼包装箱用シート２１は、箱型に組立てられることで、カタログやパンフレット等の冊子を梱包する包装箱１として用いることができる。また、当該ブックケース兼包装箱用シート２１は、上フラップ２３を天板５の内面に折り返し、かつ下フラップ２４を底板６の内面に折り返すと共に、ブックエンド板２２を一方の側板３ａの内面に折り返したうえ、折り曲げ容易線３４で内側に折り曲げて、一対の凸部３７、３８及び一対の係止孔４１、４３を係合することによってブックケース１１としても使用することができる。つまり、当該ブックケース兼包装箱用シート２１は、ブックエンド板２２が折り曲げ容易線３４で内側に折り曲げられると共に、ブックエンド板２２に設けられる一対の凸部３７、３８が一対の係止孔４１、４３と係合されることによって、ブックエンド板２２の折り曲げ容易線３４よりも先端側の部位が一方の側板３ａの内面から他方の側板３ｂ側に突出されるブックエンド部１２として形成される。そのため、当該ブックケース兼包装箱用シート２１を組立てて形成されるブックケース１１は、ブックエンド板２２の先端によってこのブックケース１１に収容される冊子の表表紙又は裏表紙を支持することで、冊子の転倒を容易かつ確実に防止することができる。
【００５２】
当該ブックケース兼包装箱用シート２１は、一対の凸部３７、３８がブックエンド板２２の先端の上縁及び下縁から突出され、上フラップ２３及び天板５の境界線から上フラップ２３に設けられる係止孔４１までの垂直距離と、下フラップ２４及び底板６の境界線から下フラップ２４に設けられる係止孔４３までの垂直距離とが、ブックエンド板２２及び一方の側板３ａの境界線から折り曲げ容易線３４までの距離に略等しいので、当該ブックケース兼包装箱用シート２１を組立ててなるブックケース１１において、ブックエンド板２２の折り曲げ容易線３４よりも先端側の部位を他方の側板３ｂの平面方向に対する垂直方向に突出させて的確に固定することができ、収容される冊子の転倒をさらに的確に防止することができる。
【００５３】
当該ブックケース兼包装箱用シート２１は、他方の側板３ｂの前縁に連接される蓋フラップ２５をさらに備え、蓋フラップ２５が、先端から延出する舌片４５を有し、一方の側板３ａとブックエンド板２２との境界線に、舌片４５を挿入可能な挿入孔３９が形成されているので、蓋フラップ２５を当該ブックケース兼包装箱用シート２１を組立ててなる包装箱１の前面板として用いることができると共に、当該ブックケース兼包装箱用シート２１を組立ててなるブックケース１１の前面扉としても用いることができる。また、蓋フラップ２５を当該ブックケース兼包装箱用シート２１を組立ててなる包装箱１の前面板として用いることによって、ブックエンド板２２が外部に露出されるのが防止されるため、輸送時や保管時にブックエンド板２２に汚れや傷が生じるのを的確に防止することができる。そのため、例えばブックエンド板２２に所定のデザイン等を施しておくことで、当該ブックケース兼包装箱用シート２１を組立ててなるブックケース１１の内観を好適に向上することができる。
【００５４】
当該ブックケース兼包装箱用シート２１を組立ててなる当該ブックケース兼包装箱は、カタログやパンフレット等の冊子を梱包する包装箱１として用いることができると共に、上フラップ２３を天板２の内面に折り返し、かつ下フラップ２４を底板６の内面に折り返すと共に、ブックエンド板２２を一方の側板３ａの内面に折り返したうえ、折り曲げ容易線３４で内側に折り曲げて、一対の凸部３７、３８及び一対の係止孔４１、４３を係合することによってブックケース１１として使用することができる。当該ブックケース兼包装箱は、ブックエンド板２２が折り曲げ容易線３４で内側に折り曲げられると共に、ブックエンド板２２に設けられる一対の凸部３７、３８が一対の係止孔４１、４３と係合することによって、ブックエンド板２２の折り曲げ容易線３４よりも先端側の部位が一方の側板３ａの内面から他方の側板３ｂ側に突出されるブックエンド部１２として形成されるので、ブックエンド板２２の先端によって収容される冊子の表表紙又は裏表紙を支持することで、これらの冊子の転倒を容易かつ確実に防止することができる。
【００５５】
［第二実施形態］
図５のブックケース兼包装箱用シート６１は、一枚のシートからなり、包装箱に組立可能であると共に、ブックケースに組立可能に構成されている。ブックケース兼包装箱用シート６１に用いられるシート材としては、図２のブックケース兼包装箱用シート２１と同様である。
【００５６】
ブックケース兼包装箱用シート６１は、対向する天板２及び底板６並びに対向する一対の側板３を構成する四角筒状部を有する箱型に組立可能に形成されている。ブックケース兼包装箱用シート６１は、一方の側板３ａの内面に折り返し可能にこの側板３ａの前縁に連接されるブックエンド板６２と、天板２の内面に折り返し可能にこの天板２の前縁に連接される上フラップ６３と、底板６の内面に折り返し可能にこの底板６の前縁に連接される下フラップ６４と、他方の側板３ｂの前縁に連接される蓋フラップ２５とを有する。また、ブックケース兼包装箱用シート６１は、天板２の後縁に連接される内フラップ２６と、底板６の後縁に連接される内フラップ２７と、一方の側板３ａの後縁に連接される外フラップ２８と、他方の側板３ｂの後縁に連接される外フラップ２９とを有する。ブックケース兼包装箱用シート６１における天板２、一対の側板３、底板６、蓋フラップ２５、一対の内フラップ２６、２７及び一対の外フラップ２８、２９は、図３のブックケース兼包装箱用シート２１と同様のため、同一符号を付して説明を省略する。
【００５７】
ブックエンド板６２は、一方の側板３ａとの境界線に平行に形成される第一折り曲げ容易線６５及び第二折り曲げ容易線６６を有する。第一折り曲げ容易線６５及び第二折り曲げ容易線６６は、ブックエンド板６２の前後方向中央位置を挟んで配設されている。
【００５８】
第一折り曲げ容易線６５及び第二折り曲げ容易線６６の配設幅Ｗ４の下限としては、２ｃｍが好ましく２．５ｃｍがより好ましく３ｃｍがさらに好ましい。一方、第一折り曲げ容易線６５及び第二折り曲げ容易線６６の配設幅Ｗ４の上限としては、６ｃｍが好ましく、５．５ｃｍがより好ましく、５ｃｍがさらに好ましい。第一折り曲げ容易線６５及び第二折り曲げ容易線６６の配設幅Ｗ４が上記下限未満の場合、当該ブックケース兼包装箱用シート６１を組立ててなるブックケースのブックエンド部の突出長さを好適に調整できないおそれがある。逆に、第一折り曲げ容易線６５及び第二折り曲げ容易線６６の配設幅Ｗ４が上記上限を超える場合、当該ブックケース兼包装箱用シート６１を組立ててなるブックケースにおけるブックエンド部が前縁側又は後縁側により過ぎて冊子を的確に支持できないおそれがある。
【００５９】
ブックエンド板６２は、第一折り曲げ容易線６５及び第二折り曲げ容易線６６よりも先端側の上縁及び下縁に形成される一対の係合部を有する。上記一対の係合部は、ブックエンド板６２の先端の上縁及び下縁から突出される一対の凸部６７、６８として形成されている。一対の凸部６７、６８の幅は、図３のブックケース兼包装箱用シート２１の一対の凸部３７、３８の幅Ｗ１と同様とされる。また、一対の凸部６７、６８の高さは、図３のブックケース兼包装箱用シート２１の一対の凸部３７、３８の高さＨ１と同様とされる。
【００６０】
ブックエンド板６２は、一方の側板３ａとの境界線に挿入孔６９を有する。また、ブックエンド板６２は、先端の中央に凹部７０を有する。ブックエンド板６２の前後方向長さは一方の側板３ａの前後方向長さと略同一とされている。
【００６１】
上フラップ６３は、第一係止孔７１（第一係止部）及び第二係止孔７２（第二係止部）を有する。第一係止孔７１及び第二係止孔７２は、ブックエンド板６２の凸部６７と係合可能に形成されている。第一係止孔７１及び第二係止孔７２は、長手方向が上フラップ６３と天板２との境界線と平行な矩形状に形成される。第一係止孔７１及び第二係止孔７２の幅は凸部６７の厚み（凸部６７を形成するシート材の厚み）以上とされている。凸部６７の厚みに対する第一係止孔７１及び第二係止孔７２の幅の比としては、図３のブックケース兼包装箱用シート２１の凸部３７の厚みに対する係止孔４１の幅Ｗ２の比と同様とされる。また、凸部６７の幅に対する第一係止孔７１及び第二係止孔７２の長手方向長さの比としては、図３のブックケース兼包装箱用シート２１の凸部３７の幅Ｗ１に対する係止孔４１の長手方向長さＬ３の比（Ｌ３／Ｗ１）と同様とされる。
【００６２】
上フラップ６３は、先端の中央に凸片７３を有する。また、上フラップ６３の前後方向長さは天板２の前後方向長さと略同一とされている。上フラップ６３と天板２との境界線から第一係止孔７１までの垂直方向距離は、ブックエンド板６２と一方の側板３ａとの境界線から第一折り曲げ容易線６５までの垂直方向距離と略同一とされている。上フラップ６３と天板２との境界線から第二係止孔７２までの垂直方向距離は、ブックエンド板６２と一方の側板３ａとの境界線から第二折り曲げ容易線６６までの垂直方向距離と略同一とされている。また、第一係止孔７１のブックエンド板６２側の端部から上フラップ６３のブックエンド板６２側の端部までの距離は、第一折り曲げ容易線６５から凸部６７の基端側端縁までの距離と略同一とされている。第二係止孔７２のブックエンド板６２側の端部から上フラップ６３のブックエンド板６２側の端部までの距離は、第二折り曲げ容易線６６から凸部６７の基端側端縁までの距離と略同一とされている。
【００６３】
下フラップ６４は、第一係止孔７４（第一係止部）及び第二係止孔７５（第二係止部）を有する。第一係止孔７４及び第二係止孔７５は、ブックエンド板６２の凸部６８と係合可能に形成されている。第一係止孔７４及び第二係止孔７５は、長手方向が下フラップ６４と底板６との境界線と平行な矩形状に形成される。第一係止孔７４及び第二係止孔７５の幅は、凸部６８の厚み（凸部６８を形成するシート材の厚み）以上とされている。凸部６８の厚みに対する第一係止孔７４及び第二係止孔７５の幅の比としては、図３のブックケース兼包装箱用シート２１の凸部３８の厚みに対する係止孔４３の幅Ｗ３の比と同様とされる。また、凸部６８の幅に対する第一係止孔７４及び第二係止孔７５の長手方向長さの比としては、図３のブックケース兼包装箱用シート２１の凸部３８の幅Ｗ１に対する係止孔４３の長手方向長さＬ４の比（Ｌ４／Ｗ１）と同様とされる。
【００６４】
下フラップ６４は、先端の中央に凸片７６を有する。また、下フラップ６４の前後方向長さは底板６の前後方向長さと略同一とされている。下フラップ６４と底板６との境界線から第一係止孔７４までの垂直方向距離は、ブックエンド板６２と一方の側板３ａとの境界線から第一折り曲げ容易線６５までの垂直方向距離と略同一とされている。下フラップ６４と天板２との境界線から第二係止孔７５までの垂直方向距離は、ブックエンド板６２と一方の側板３ａとの境界線から第二折り曲げ容易線６６までの垂直方向距離と略同一とされている。また、第一係止孔７４のブックエンド板６２側の端部から下フラップ６４のブックエンド板６２側の端部までの距離は、第一折り曲げ容易線６５から凸部６８の基端側端縁までの距離と略同一とされている。第二係止孔７５のブックエンド板６２側の端部から下フラップ６４のブックエンド板６２側の端部までの距離は、第二折り曲げ容易線６６から凸部６８の基端側端縁までの距離と略同一とされている。
【００６５】
＜利点＞
当該ブックケース兼包装箱用シート６１は、ブックエンド板６２が一方の側板３ａとの境界線と平行に形成される第一折り曲げ容易線６５及び第二折り曲げ容易線６６を有し、上フラップ６３及び下フラップ６４がブックエンド板６２の一対の凸部６７、６８と係合可能な一対の第一係止孔７１、７４及び一対の第二係止孔７２、７５を有している。さらに、当該ブックケース兼包装箱用シート６１は、上フラップ６３及び天板２の境界線から第一係止孔７１までの垂直距離と、下フラップ６４及び底板６の境界線から第一係止孔７４までの垂直距離とが、ブックエンド板６２及び一方の側板３ａの境界線から第一折り曲げ容易線６５までの距離に略等しく、かつ上フラップ６３及び天板２の境界線から第二係止孔７２までの垂直距離と、下フラップ６４及び底板６の境界線から第二係止孔７５までの垂直距離とが、ブックエンド板６２及び一方の側板３ａの境界線から第二折り曲げ容易線６６までの距離に略等しくされている。そのため、当該ブックケース兼包装箱用シート６１は、一対の凸部６７、６８を一対の第一係止孔７１、７４又は一対の第二係止孔７２、７５と好適に係合することができる。従って、当該ブックケース兼包装箱用シート６１は、収容される冊子の数や厚み等に応じた折り曲げ容易線及び係合孔を選択することができ、収容される冊子をブックエンド板６２によってさらに的確に支持することができる。
【００６６】
［その他の実施形態］
なお、本考案のブックケース兼包装箱用シート及びブックケース兼包装箱は、上記態様の他、種々の変更、改良を施した態様で実施することができる。例えば当該ブックケース兼包装箱における背面板の構成は特に限定されるものではなく、一対の内フラップを内側に折り曲げたうえ、一対の外フラップを内側に折り曲げて突き合わせ、この突き合わせ部分に粘着テープを貼り付けて形成されてもよい。
【００６７】
ブックエンド板に形成される一対の係合部は必ずしも一対の凸部である必要はなく、また上フラップ及び下フラップに形成される係止部も必ずしも係止孔である必要はない。例えば上記係止部としては、上フラップ及び下フラップに形成される切り込みや溝等であってもよい。また、上記係合部及び係止部の構成としては、例えば当該ブックケース兼包装箱用シートを組立ててなるブックケースにおけるブックエンド部（ブックエンド板の先端部）の上下方向長さを上フラップ及び下フラップ間の長さより１ｍｍ以上５ｍｍ以下程度長くして、上フラップ及び下フラップ間に先端部を挟み込む構成を採用することも可能である。
【００６８】
ブックエンド板に形成される一対の係合部が一対の凸部である場合、この一対の凸部は折り曲げ容易線よりも先端側の上縁及び下縁から突出される限り、必ずしも先端の上縁及び下縁から突出されていなくてもよい。ただし、ブックエンド部を先端側から的確に固定するためには、一対の凸部はブックエンド板の先端の上縁及び下縁から突出される方が好ましい。
【００６９】
また、当該ブックケース兼包装箱用シートは、３以上の折り曲げ容易線を有すると共に、各折り曲げ容易線に対応する係止孔を有していてもよい。当該ブックケース兼包装箱用シートは、このように多数の折り曲げ容易線及び係止孔を有することで、収容される冊子を数や厚み等に応じてブックエンド板によって的確に支持することができる。
【産業上の利用可能性】
【００７０】
以上のように、本考案のブックケース兼包装箱用シート及びブックケース兼包装箱は、カタログやパンフレット等の冊子を梱包する包装箱として用いることができると共に、収容される冊子の転倒を防止可能なブックケースとしても使用することができるので、冊子の輸送用箱兼ブックケースとして好適である。
【符号の説明】
【００７１】
１  包装箱
２  天板
３  側板
４  蓋部
５  背面板
６  底板
１１  ブックケース
１２  ブックエンド部
２１、６１  ブックケース兼包装箱用シート
２２、６２  ブックエンド板
２３、６３  上フラップ
２４、６４  下フラップ
２５  蓋フラップ
２６、２７  内フラップ
２８、２９  外フラップ
３０、３１、３２  切込み
３３  糊代部
３４  折り曲げ容易線（第一折り曲げ容易線）
３５  基端部
３６  先端部
３７、３８、６７、６８  凸部（係合部）
３９、６９  挿入孔
４０、７０  凹部
４１、４３  係止孔（第一係止部）
４２、４４、７３、７６  凸片
４５  舌片
４６  破断容易線
４７  突出部
４８  凹部
４９、５０  弱化線
５１  突条部
５２  嵌合孔
６５  第一折り曲げ容易線
６６  第二折り曲げ容易線
７１、７４  第一係止孔（第一係止部）
７２、７５  第二係止孔（第二係止部）
１００  冊子
【図１】
0003194311.tif 000003
【図２】
0003194311.tif 000004
【図３】
0003194311.tif 000005
【図４】
0003194311.tif 000006
【図５】
0003194311.tif 000007